(57)【要約】【課題】水絞り器を迅速に保定器具と連結して一体となり、迅速に取外しができ、素早くかつ便利に水絞り器の交換又は修理を行える清掃用具水絞り器構造を提供する。【解決手段】清掃用具水絞り器構造であって、プレート状の水絞り部を有しており、当該水絞り部は清掃装置表面に設けた滑り止め部に対応する。水絞り部は保定器具の端面に設けた複数の取付け部に対応する。当該取付け部は、多角形状の開口形態となる噛み合わせ部を有し、これに対応する形状の連結体と組み合わせて一体とする。その保定器具には、別途Ｃ字型の連結部を設けており、連結体と組み合わせて一体とする。清掃装置の一端の樹脂綿体保護カバーと引っ張りロッドの間には、クィック連結はめ込み装置を設け、これらに対応する２つの連結部品を有する。保定連結部品と樹脂綿体保護カバーとを、フレキシブルにはめ込んで連結する。はめ込み連結部品の一端と引っ張りロッドは一体となり、もう一端と保定連結部品が相互にフレキシブルな連結を行うことで、樹脂綿体保護カバーと引っ張りロッドを連結する。【選択図】図１
0003126305.tif 000002
【実用新案登録請求の範囲】
【請求項１】
グリップを有する清掃用具水絞り器構造であって、当該グリップの底部には保定器具を設け、当該保定器具の底部には清掃装置を取付け、その清掃装置の両側は二組の水絞り器を有し、その水絞り器は連結体の上で固定されており、当該連結体は、保定器具と連結して一体となり、そのうち、
水絞り器は、少なくとも一組以上の水絞り部を有し、当該水絞り部は、保定器具の表面を等分して設けた複数の噛み合わせ部に対応し、また、連結体の外形は噛み合わせ部に対応する形態であり、また、保定器具には連結体に対応する開口状の連結部を設けており、また、連結体は連結部の上部に取付けて、回転軸となる形態とし、各水絞り部と連結体を取付けて固定するとともに、一体となり帯動する清掃用具水絞り器構造。
【請求項２】
請求項１に記載された清掃用具水絞り器構造において、水絞り部には複数の取付け部を取付け、取付け部に設けた多角形で開口状となる噛み合わせ部で、当該噛み合わせ部の開口部がやや噛み合わせ部の最大直径を下回ることを特徴とする清掃用具水絞り器構造。
【請求項３】
請求項１に記載された清掃用具水絞り器構造において、連結体が一の字の形状となり、噛み合わせ部に相似する多角形のロッド状構造となることを特徴とする清掃用具水絞り器構造。
【請求項４】
請求項１乃至請求項３の何れか１項に記載された清掃用具水絞り器構造において、水絞り部の取付け部両側にはそれぞれ設けたスペーサー部に対応する連結体を有し、当該連結体の末端に別途制限部を設けたことを特徴とする清掃用具水絞り器構造。
【請求項５】
請求項１に記載された清掃用具水絞り器構造において、水絞り器の水絞り部が清潔装置の表面に設けた滑り止め部に対応することを特徴とする清掃用具水絞り器構造。
【請求項６】
請求項５に記載された清掃用具水絞り器構造において、水絞り部の滑り止め部が横ストライプ形状の構造であることを特徴とする清掃用具水絞り器構造。
【請求項７】
請求項１に記載された清掃用具水絞り器構造において、保定器具の連結部がＣ字型の開口形態となること特徴とする清掃用具水絞り器構造。
【請求項８】
請求項１に記載された清掃用具水絞り器構造において、各組の水絞り器が両側の連結体にそれぞれ３組の水絞り部を取付け固定し、三段式の構造形態を形成すること特徴とする清掃用具水絞り器構造。
【請求項９】
請求項１に記載された清掃用具水絞り器構造において、両側連結体の水絞り部がそれぞれ一体成型の構造形態であり、保定器具の構造に対応する水絞り部の個所にスリットを設けたこと特徴とする清掃用具水絞り器構造。
【請求項１０】
請求項１に記載された清掃用具水絞り器構造において、グリップと、グリップ底部の連結ベースと、連結ベースに取付ける清掃装置と、清掃装置上部の樹脂綿体保護カバーと、樹脂綿体保護カバーの上部に連結して設けた引っ張りロッドとを有し、また引っ張りロッドを引いて動かすものであり、
樹脂綿体保護カバーと引っ張りロッドの間に設けたクィック連結はめ込み装置、およびそのクィック連結はめこみ装置に組み合わせ、これに対応して設けた構造であり、
そのうち、クィック連結はめ込み装置は、主に保定連結部品、および保定連結部品に合わせてはめ込み、一体となるはめ込み連結部品を有し、そのうち、保定連結部品底部には樹脂綿体保護カバーにはめ込み、一体となるはめ込み部を有し、はめ込み連結部品と保定連結部品に対応して設けた連結部は、相互に組み合せ、それぞれ解放部と戻り止め部を有し、フレキシブルに相互の取付け、戻り止めを行うことで、解放部を取り付け、または解放することを特徴とする清掃用具水絞り器構造。
【請求項１１】
請求項１に記載された清掃用具水絞り器構造において、グリップと、グリップ底部の連結ベースと、連結ベースに取付ける清掃装置と、掃装置上部の樹脂綿体保護カバーと、樹脂綿体保護カバーの上部に接続して設けた引っ張りロッドとを有しており、また引っ張りロッドを引いて動かすものであり、
水絞り器はアーチ形プレート上の水絞り部を有し、当該水絞り部は保定器具表面を等分して設けた複数の挿し通し穴に対応し、連結体は細長い円柱状の形態であり、保定器具は連結体に設けた貫通穴の連結部に対応することを特徴とする清掃用具水絞り器構造。
【考案の詳細な説明】
【技術分野】
【０００１】
本考案は、一種の清掃用具水絞り器構造に係り、特に、清掃用具上で使用し迅速に脱水することができる水絞り器で、迅速かつ簡単に清掃用具に取付けて、使用上の利便性を得ることができるものを目指す。
【背景技術】
【０００２】
現在の樹脂綿式清掃用モップ構造について述べる。当該モップにはグリップがあり、当該グリップの中ほどに保定器具端部の両サイドを動かすためのレバーがある。各サイドにはそれぞれ二組の水絞り部品を有している。水絞り部品の間には、清掃用綿を有している。床を拭き一定レベルまで吸水するたび、当該清掃用綿が吸収した水を絞り出すため、使用者は手でレバーを引き、清掃用綿を当該４組の水絞り部品の間に挿入することになる。このように、この構造はその保定器具両側の水絞り部品の距離を変更できないことから、前述した実施例には周知の欠陥がある。当該欠陥には、次の内容を含む。水絞り効率が悪いことから、清掃効果の不良を招く。かつ、全体構造の組立と修理が難しい。特に４組の水絞り部品は、水絞り部品が破損、または折れ曲がった場合、比較的大きな修理コストが必要となり、経済的とは言えない。
【考案の開示】
【考案が解決しようとする課題】
【０００３】
本考案者はこの問題を鑑み、水絞り器の全体構造を制作しやすく、また組立やすいものにするため、また組立と修理が簡単かつ迅速に行えるという目的を達成するため、上記の条件に適合する清掃用具水絞り器構造の一種である本考案を開発した。
【課題を解決するための手段】
【０００４】
本考案は、清掃用具水絞り器構造の一種を提示することを目的とする。当該構造は、主に水絞り器にプレート状の水絞り部を設けるとともに、清掃装置に対応する水絞り部の表面に、ストライプ状の滑り止め部を設ける。また、保定器具に対応する端面の部分に設けた噛み合わせ部を連結体と噛み合わせた後は、連結体と保定器具の連結部分を相互に取付け固定することにより、水絞り部と保定器具を迅速に取付け、または取外しができるようになり、使用の利便性を得ることができる。
本考案は、フレキシブルにはめ込む連結部品によって相互にはめ合わせ、かつフレキシブルにはめ込む連結部品、およびその構成部品を一体成型した連結部品によって、確実に組み立てることができ、迅速かつ簡単に取り付けと取り外しができる清掃用具水絞り器構造を提示することを、もう一つの目的とする。
さらに本考案は、水絞り器の水絞り部に挿し通し穴を設け、保定器具には対応する連結部を設けて、その挿し通し穴および連結部が連結体を保定することで、水絞り部を迅速に保定器具に取り付ける、または取り外すことができるようにし、使用の利便性を得ることができる清掃用具水絞り器構造を提示することも目的としている。
【考案の効果】
【０００５】
上記の構造改良によって、本考案は以下の機能を有することとなった。
１．製作、組立が便利である。はめ込み装置（３０）、水絞り部（５１）、および連結体（６０）を、保定器具（２０）と組み合わせて取付けることにより、クィック連結の各部品の成型が非常に簡単になっただけでなく、困難なタッピング作業と複雑なネジ止め作業の必要が無くなり、作業の手順は最少の状態まで減少した。これに対応して、製作・組立の時間も減少、人的コストも下がり、経済的な効果という面でも確実に適合する。更に、組立時に使用する工具を準備する必要が無い。使用者は直接手で取付け、または取り外せば良く、高い実用性という目的を達成した。
２．サビにより締め付けまたは取り外しができないという問題が無い。本発明が使用するクィック連結はめ込み装置（３０）、および水絞り部（５１）と連結体（６０）は、PET、または高硬度プラスティックで一体成型しているため、サビの問題が無い。更に、清掃樹脂綿体（１２）本体の水気を心配する必要は無く、水気による影響を確実に取り除くことができる。
３．優れた水絞り機能を有する。アーチ形プレート状水絞り部（５１）のウィング部を延伸し、滑り止め部（５１１）を清掃装置（４１）と接触、摩擦させるよう設計する。これにより清掃装置（４１）が動き、清掃装置（４１）が圧力を受けた距離によって次第にその形態を縮小し、水絞りの機能を得る。
【考案を実施するための最良の形態】
【０００６】
本考案の構造、特徴、およびその他目的を更にご理解いただくため、添付の図面によって、比較的良好な実施例の詳細な説明を行う。ただし、本図面の例が説明する実施例は説明のために用いるものであり、実用新案申請上の唯一のケースとして制限するものではない。
【０００７】
添付参考図、第一図〜第八図を参照されたい。本考案は、グリップ（１０）を有し、グリップ（１０）の端部には引っ張りロッド（１１）を設ける。グリップ（１０）には保定器具（２０）を設け、当該保定器具（２０）内部には、引っ張りロッド（１１）の端部に接続するはめ込み装置（３０）を設ける。当該はめ込み装置（３０）底部には清掃装置（４０）を取付ける。その清掃装置（４０）の両側には二組の水絞り器（５０）を設ける。また、その水絞り器（５０）を連結体（６０）に固定することで、当該連結体（６０）と保定器具（２０）は連結され一体となる。
【０００８】
また、本考案の特徴は主に以下の点にある。
水絞り器（５０）と連結体（６０）を保定器具（２０）上で連結する構造、および引っ張りロッド（１１）の間にクィック連結はめ込み装置（３０）を設け、クィック連結はめ込み装置（３０）に合せ、これに対応して設けた構造。
そのうち、当該クィック連結はめ込み装置（３０）については、添付参考図第二、三、四図を参照願いたい。保定連結部品（３１）、および保定連結部品（３１）に組み合わせてはめ込み、一体とするはめ込み連結部品（３２）を有する。そのうち、保定連結部品（３１）の底部には、フレキシブルに広がるはめ込み部（３１０）を有する。そのはめ込み部（３１０）の細径部（３１０１）底部外周には、逆錐状のスロープガイドパッド（３１０２）を有する。はめ込み部（３１０）中間はフレキシブルスロット（３１０３）を開く方法で、はめ込み部（３１０）全体に弾力性を持たせている。また、はめ込み部（３１０）の上部個所には、フランジ状のリミットエッジ（３１１）が突出している。リミットエッジ（３１１）から上部は扁平状の連結部（３１２）で、その連結部（３１２）の両側は、それぞれアーチ形のフレキシブル戻り止め部（３１３）を形成し、連結部品（３２）に組み合わせてはめ込み、一体となる。
【０００９】
はめ込み連結部品（３２）中央には、連結部（３１２）を差し込んで連結する中空連結部（３２０）を別途設ける。はめ込み連結部品（３２）の両側にはそれぞれウィング状の解放部（３２１）を設ける。また、解放部（３２１）のフリーサイドの連結部品（３２）には、別途ストッパー部（３２２）を形成する。保定連結部品（３１）の連結部（３２１）をはめ込み連結部品（３２）の連結部（３２０）に差し込む時、その二つの戻り止め部（３１２）は、ストッパー部（３２２）の上で止まることになる。はめ込み連結部品（３２）の解放部（３２１）を外から内に向かって当該戻り止め部（３１２）を押し込むと、戻り止め部（３１２）は連結部（３２０）の範囲内まで縮まる。すなわち、保定連結部品（３１）とはめ込み連結部品（３２）は分離することができる。
清掃装置（４０）は、逆Ｕ字型を呈する樹脂綿体保護カバー（４１）と引っ張りロッド（１１）を有しており、これに対応して設けた構造には次のものを含む。はめ込み連結部品（３２）の連結部（３２０）に対応する樹脂綿体保護カバー（４１）に設けた四角穴状のはめ込み穴（４１０）。樹脂綿体保護カバー（４１）は清掃体（４２）に取付ける。
清掃体（４２）、およびクィック連結はめ込み装置（３０）の両端部には二つの水絞り器（５０）を設ける。当該水絞り器（５０）は、アーチ形プレート状の水絞り部（５１）を有する。当該水絞り部（５１）は、清掃装置（４１）の表面に設けた横ストライプ形状の滑り止め部（５１０）に対応する。また、当該水絞り部（５１）は、保定器具（２０）の表面を等分して設けた数組の肋骨状取付け部（５１１）に対応する。また、当該取付け部（５１１）上には、非円形の多角形で開口状となる噛み合わせ部（５１２）を設ける。当該噛み合わせ部（５１２）は、Ｃ字形の多角形で開口形態の構造とする。かつ、その噛み合わせ部（５１２）の開口部は、やや噛み合わせ部（５１２）の最大直径を下回る。
【００１０】
また、連結体（６０）は一の字形状で、噛み合わせ部（５１２）に相似する多角形のロッド状構造である。かつ、水絞り部（５１）に対応する取付け部（５１１）両側にそれぞれスペーサー部（６１）を有している。また、水絞り部（５１）が適切な位置で止まるよう制限するため、連結体（６０）の末端には別途制限部（６２）を設けている。かつ、各水絞り部（５１）の噛み合わせ部（５１２）が連結体（６０）に対応するよう形状の設計を行なうことで、各水絞り部（５１）は確実に連結体（６０）と一体となって回転運動を行う。
また、当該連結体（６０）を各水絞り部（５１）と相互に取付け固定したのち、これに対応して保定器具（２０）に設けたＣ字型の開口形態となる連結部（２１）に直接取付けることができる。連結体（６０）は連結部（２１）で固定され、当該連結部（２１）において回転軸となることができる。
【００１１】
また、第六図の実施例説明では、クィック連結はめ込み装置（３０）の保定連結部品（３１）を、樹脂綿体保護カバー（４１）のはめ込み穴（４０１）に差し込む。保定連結部品（３１）のはめ込み部（３１０）は、フレキシブルに噛み合わせる構造形態であり、直接はめ込み穴（４０１）に差込み、取付け固定する。またそのリミットエッジ（３１１）は樹脂綿体保護カバー（４１）のはめ込み穴（４０１）上部の縁に押し付けられ、樹脂綿体保護カバー（４１）に固定された構造形態となる。また、保定連結部品（３１）の連結部（３１２）は、引っ張りロッド（１１）端部のはめ込み連結部品（３２）を通して、上向きに連結部（３２０）内に進入する。連結部（３１２）両側の戻り止め部（３１３）は、ストッパー部（３２２）まで開いてストッパーを形成する。これにより、迅速に連結するという目的を達成する。
【００１２】
また、各組の水絞り器（５０）は、２つの連結体（６０）上で、それぞれ３組の水絞り部（５１）を取付け保定して、三段式の構造形態を形成する。また、第七図で示すように、両側の連結体（６０）の水絞り部（５１Ａ）は、それぞれ一体成型の構造形態とすることもできる。即ち、３組の水絞り部（５１）は、成型時に一体成型され相互に連結した構造形態となる。かつ、全体構造を保定しやすくするため、各水絞り部（５１）の間にはそれぞれスリット（５２）を形成し、保定器具（２０）に対応する貫き型の構造装置を提供する。組立時には、一体となった噛み合わせ部（５１２）を連結体（６０）に取付け、更に連結体（６０）を保定器具（２０）の連結部（２１）に取付けて、迅速に連結するという目的を達成する。
【００１３】
もう一つの実施例は、第八図を参照願いたい。当該水絞り器（５０）はアーチ形プレート状の水絞り部（５１）を有する。当該水絞り部（５１）のアーチ形プレートの大きい面の一端に挿し通し穴(５１３）を一つ設ける。当該挿し通し穴（５１３）に、細長い円柱状の固定部品（７０）を挿し通す。当該水絞り部（５１）は、清掃装置（４０）の表面に設けた横ストライプ形状の滑り止め部（５１０）に対応する。また、当該水絞り部（５１）に対応する固定部品（７０）を、保定器具（２０）表面にあけた貫通穴（２１Ａ）に通す。
以上を総括すると、本考案は上記の諸機能を確実に達成することができる。したがって、本考案は、実用新案申請の要件に適合することから、ここに法に従って申請を提出する。
【図面の簡単な説明】
【００１４】
【図１】本考案の立体外観概略図である。
【図２】本考案における一部システムの分解図である。
【図３】本考案におけるクィック連結はめ込み装置一部システムの分解図である。
【図４】本考案の保定器具、および連結体を組み合わせた構造の略図である。
【図５】本考案における水絞り器部分の概略図である。
【図６】本考案の別の実施例におけるクィック連結はめ込み装置の概略図である。
【図７】本考案における水絞り器水絞り部の一体化実施例の概略図である。
【図８】本考案のもう一つの実施例における水絞り部連結の概略図である。
【符号の説明】
【００１５】
（１０）グリップ 
（２０）保定器具
（２１）連結部
（２１Ａ）貫通穴
（３０）クィック連結はめ込み装置 
（３１）連結部品
（３１０）はめ込み部
（３１０１）細径部
（３１０２）スロープガイドパッド 
（３１０３）フレキシブルスロット
（３１１）リミットエッジ
（３１２）連結部
（３１３）戻り止め部
（３２）はめ込み連結部品
（３２０）連結部
（３２１）解放部
（３２２）ストッパー部
（４０）清掃装置
（４１）樹脂綿体保護カバー
（４１０）はめ込み穴
（４２）清掃体
（５０）水絞り器
（５１）（５１Ａ）水絞り部
（５１０）滑り止め部
（５１３）挿し通し穴
（５１１）取付け部
（５１２）噛み合わせ部
（５２）スリット
（６０）連結体
（６１）スペーサー部
（７０）固定部品
【図１】
0003126305.tif 000003
【図２】
0003126305.tif 000004
【図３】
0003126305.tif 000005
【図４】
0003126305.tif 000006
【図５】
0003126305.tif 000007
【図６】
0003126305.tif 000008
【図７】
0003126305.tif 000009
【図８】
0003126305.tif 000010